(57)【特許請求の範囲】
【請求項１】
下面がレベル調整を行う被調整面と所定の間隔で離間するように形成された棒状の傾斜指示部材と、該傾斜指示部材の上部所定箇所に設けられ、水準器自体の水平度を示すための傾斜指示装置と、上記傾斜指示部材にその上下面から所定の長さだけ突出するように、且つ、上下動自在に装着された可動ボタンとを有する水準器；及び
上記可動ボタンの下方に配される被調整面の上下動に伴って生ずる上記可動ボタンの変位に基づき被調整面のレベル状況を表示するレベル表示装置
を備えていることを特徴とする水準計測装置。
【請求項２】
前記水準器は、前記傾斜指示部材の一端部又は両端部に、上部所定箇所に傾斜指示装置が設けられた他の傾斜指示部材が水平方向に揺動自在に連結された構造を有する請求項１に記載の水準計測装置。
【請求項３】
前記レベル表示装置が、前記可動ボタンの上端と接触する可動板ばねを有し、該可動板ばねが所定の高さ位置にあるときにオフ、所定高さ位置から偏位したときにオン状態となるリミットスイッチと、該リミットスイッチに接続され、オン状態のときに聴覚及び／又は視覚により認識できる警報を発する警報手段を備えている請求項１又は２に記載の水準計測装置。
【請求項４】
前記レベル表示装置が、傾斜指示部材上面に置いたときにオン状態となる電源スイッチを有する請求項１乃至３のいずれか一項に記載の水準計測装置。
【請求項５】
前記傾斜指示装置が、振子及び傾斜度を指示する指針をそれぞれケーシングに揺動自在に取り付けると共に、上記ケーシングの傾斜によって生じる振子の相対的振れを上記指針に拡大して伝達する手段を設けてなる装置である請求項１乃至４のいずれか一項に記載の水準計測装置。
【発明の詳細な説明】
【０００１】
【発明の属する技術分野】
本発明は、水準計測装置に関し、特に多方向の水平度を同時に計測でき、また二重床の施工における床面レベルの調整に好適に用いることができる水準計測装置に関する。
【０００２】
【従来の技術】
建物などの水平度を測定したり、各種機器を水平に設置するための器械として従来より水準器が使用されている。
水準器としては種々の形態のものが知られているが、例えば図６に示すように、少し湾曲したガラス管にアルコール等の液体と小気泡を封入した気泡管６１を棒状部材６２の上面中央に埋設し、この小気泡が気泡管６１の中央にきたときに水平になるようにした気泡管型の水準器６０が一般的に用いられている。尚、気泡管６１の上部あるいは上部内面は湾曲して形成されている。
【０００３】
ところで、一般に或る面のレベル調整を行う場合、その面に上記のような水準器６０を載置し、水準器をのぞき込んでその水平度を見ながらレベル調整を行っている。
また、建物を建築する際にも、床面レベルは一般に上記のような気泡管型の水準器で水平か否かを調べながら構築されている。
例えば、集合住宅等の各種建物において既存の基礎床面との間に空間を形成して二重床を構築する場合、従来、このような二重床を支持する方式としては、例えば特開平３−１７３４８号に開示されているように、棒状脚部と該棒状脚部の上端部に上下調節可能に装着された支持部材とからなるユニット支持脚群と、定尺長方形又は正方形の床パネル群とを組み合わせて用いる乾式二重床の施工方法が一般に採用されている。
【０００４】
この方法で用いられるユニット支持脚の一例は図７に示すとおりであり、ゴム等の弾性材料からなる接床基台１０４と、該基台１０４に回動自在に立設された支持ボルト１０３からなる脚部材１０２と、外周下端部に突設された環状の支持部１０７を有するレベル調整用ナット１０６が支持板１０８に穿設された挿入孔１０９に嵌合して取り付けられた支持部材とから構成される。このようにして支持板１０８の挿入孔１０９に嵌合されたレベル調整用ナット１０６に脚部材１０２の支持ボルト１０３がねじ込まれてユニット支持脚１０１が組み立てられる。なお、支持板１０８の上面には挿入孔１０９を除く全面に粘着シート１１０が貼着され、また支持ボルト１０３の頂端面にはマイナス溝１０５が設けられており、該溝１０５にドライバー等の回転用工具の先端を嵌め込んで支持ボルト１０３を回転させることにより、施工の際には床パネルからの荷重が支持板１０８を介してレベル調整用ナット１０６に付加されてその回転が抑制されているため、レベル調整用ナット１０６が上下動し、支持板１０８により支持されている床パネルの床面レベルを調整することができる。
【０００５】
以上のようにして組み立てられたユニット支持脚１０１を用いて二重床を構築する場合の施工例は、例えば図８及び図９に示すように、まず部屋壁又は間仕切１１２の所定の高さに沿って際根太（又は根太ユニット）１１３を設け、その上に床パネル１１４の一辺を支持する。際根太に接しない床パネル１１４の他の縁部は、所定のピッチＰで基礎床（コンクリートスラブ）１１１上に配置したユニット支持脚１０１に片持たせの状態で載せて取り付ける。ユニット支持脚１０１と床パネル１１４の取付は、ユニット支持脚１０１の支持板１０８上面に貼着した粘着シート１１０等を介して行い、床パネル敷設時に床パネル１１４を粘着シート１１０に圧着して仮固定しておく。ユニット支持脚１０１の支持板１０８の挿入孔１０９は床パネル１１４の縁部から露出した状態とし、この挿入孔１０９を通してドライバー等により支持ボルト１０３を回し、床パネル１１４のレベル（又は支持板１０８の上面位）を調節する。このレベル調整は、床パネル上に前記水準器を載置して、床パネルの縦横両方向の傾斜度を確認しながら水平となるように行われる。
【０００６】
隣合う床パネルも同様に、既に設置したユニット支持脚１０１上へ床パネル１１４のレベル調整ができる所定の間隙Ｗを開けて載せ、同様に他のユニット支持脚１０１を配置して取り付ける。このような作業を床パネルごと繰り返し、床パネルを所定面積施工し、床面レベルを調整した後、床パネル１１４からユニット支持脚１０１の支持板１０８に対して釘打ちし、床パネル１１４をユニット支持脚１０１に固定する。その後、必要に応じてユニット支持脚１０１の支持ボルト１０３上端部とレベル調整用ナット１０６を接着固定した後、床パネル１１４の上に捨張り合板１１５を敷設するか、あるいは隣接する床パネル間の間隙を覆うように粘着テープを貼着した後、ＣＦシート、絨毯、畳、木質フロアー材等の床仕上げ材（図示せず）を敷設し、床仕上施工を完了する。
【０００７】
【発明が解決しようとする課題】
前記したような二重床の施工においては、従来、床面レベルの調整は、前述したようにユニット支持脚１０１上に敷設した各床パネル１１４上に水準器を置き、この水準器を見ながら、各床パネル１１４が同じ高さにあり、かつ縦横方向が共に水平となるように各ユニット支持脚１０１の支持ボルト１０３をドライバーで回転させることにより行われている。
しかしながら、このように水準器をのぞき込んでその水平度を見ながら、各ユニット支持脚１０１の支持ボルト１０３をドライバーで回転させて床面レベルの調整を行った場合、その作業性が極めて悪く、時間を要するものとなっている。また、全体的な床面レベルの調整が精度良く行い難いという問題もある。このような問題は、二重床の床面レベル調整の場合に限られず、一般に或るレベル調整の必要な面の高さ調整の際の共通した問題であると言える。
【０００８】
また、前記棒状の水準器を用いてレベル調整を行う場合、その長手方向の水平度しか測定できないので、レベル調整が必要な面、例えば床パネルを縦方向で水平に支持しても横方向で勾配が残っていることもあり、水準器の方向を頻繁に変えながら支持ボルトを回転させる必要がある。また従来の水準器は短いため、床パネルに局部的な反りがあった場合、その床パネル全体の水平度を精度良く測定し難いという問題がある。さらに、隣接する床パネル間に跨るように水準器を置いてレベル調整を行っても、調整中に床パネルが上下動することで水準器の位置がずれてしまい、そのため調整すべき方向の水平度を精度良く測定し難いという問題もある。
このようなことから、従来の水準器を用いた場合、床面レベルの調整作業が極めて煩瑣で時間を要するものとなっており、作業性、施工性が大幅に低下すると共に、工期の長期化及びコストアップの大きな要因となっている。
【０００９】
従って、本発明の基本的な目的は、レベル調整の状況を警報装置によって聴覚及び／又は視覚によって容易に確認しながら、作業性良く高精度でレベル調整を行えるような水準計測装置を提供することにある。
本発明の他の目的は、任意の２方向以上の水平度を同時に安定して測定できる水準計測装置を提供することにある。
さらに本発明の目的は、二重床の施工に際して、床面レベルの調整を簡単に作業性良く、しかも精度良く行うのに好適な水準計測装置を提供し、これを用いることによって二重床の施工工期の短縮化及びコスト低減を図ることにある。
【００１０】
【課題を解決するための手段】
前記目的を達成するために、本発明によれば、下面がレベル調整を行う被調整面と所定の間隔で離間するように形成された棒状の傾斜指示部材と、該傾斜指示部材の上部所定箇所に設けられ、水準器自体の水平度を示すための傾斜指示装置と、上記傾斜指示部材にその上下面から所定の長さだけ突出するように、且つ、上下動自在に装着された可動ボタンとを有する水準器；及び
上記可動ボタンの下方に配される被調整面の上下動に伴って生ずる上記可動ボタンの変位に基づき被調整面のレベル状況を表示するレベル表示装置
を備えていることを特徴とする水準計測装置が提供される。
好適な態様においては、上記水準器は、上記傾斜指示部材の一端部又は両端部に、上部所定箇所に傾斜指示装置が設けられた他の傾斜指示部材が水平方向に揺動自在に連結されて折り畳み自在に構成される。また、上記レベル表示装置としては、上記可動ボタンの上端と接触する可動板ばねを有し、該可動板ばねが所定の高さ位置にあるときにオフ、所定高さ位置から偏位したときにオン状態となるリミットスイッチと、該リミットスイッチに接続され、オン状態のときに聴覚及び／又は視覚により認識できる警報を発する警報手段を備えたものが好ましい。
【００１１】
【発明の実施の形態】
本発明の水準計測装置は、予め或る基準面に水平となるように配置した状態で、その下に位置するレベル調整を行おうとする被調整面のレベル状況を、水準器自体の水平度を示す傾斜指示装置とは別個の装置によって聴覚及び／又は視覚的に確認しながら、被調整面のレベル調整を行えるようにしたものである。
すなわち、水準器を、上部所定箇所に傾斜指示装置が設けられ、下面がレベル調整を行う被調整面と所定の間隔で離間するように形成された棒状の傾斜指示部材に、その上下面から所定の長さだけ突出するように可動ボタンを上下動自在に装着した構造とすることにより、水準器自体を水平に配置でき、しかもこの状態でその下の被調整面との間にレベル調整できるような所定の間隔が存在するようにすると共に、上記傾斜指示装置とは別個に、上記可動ボタンの下方に配される被調整面の上下動に伴って生ずる上記可動ボタンの変位に基づき被調整面のレベル状況を表示するレベル表示装置を備えたことを特徴としている。
【００１２】
このようなレベル表示装置としては、被調整面のレベル状況を聴覚及び／又は視覚的に容易に確認できる手段であれば全て採用可能である。好適な態様においては、前記可動ボタンの上端と接触する可動板ばねを有し、該可動板ばねが所定の高さ位置にあるときにオフ、所定高さ位置から上下に変位したときにオン状態となるリミットスイッチと、該リミットスイッチに接続され、オン状態のときに警報、例えば聴覚により認識できるブザー音や視覚により認識できる発色光を発出する警報手段を備えたレベル表示装置が用いられる。
このようなレベル表示装置を利用することにより、被調整面のレベル調整の状況を聴覚及び／又は視覚によって容易に確認しながら、作業性良くレベル調整を行うことができる。
【００１３】
また、別の好適な態様においては、前記水準器は、前記可動ボタンを装着した傾斜指示部材の一端部又は両端部に、上部所定箇所に傾斜指示装置が設けられた他の傾斜指示部材が水平方向に揺動自在に連結された構造の折り畳み自在な長尺の水準器に構成される。
このような長尺の水準器を用いることにより、安定して載置され、二方向以上の多方向の水平度を同時に安定して測定でき、特に前記したような二重床の施工における床面レベルの調整に好適に用いることができる。すなわち、脚部材の上端部に高さ調整自在に支持部材が装着されてなるユニット支持脚群と、床パネル群とを組み合わせて用い、ユニット支持脚を床パネルの形状に対応する所定のピッチで基礎床の床面上に配置し、複数の床パネルをその縁部が上記ユニット支持脚の支持部材により支持されるように所定の間隙を介して配置し、床パネルの敷設を行う二重床の施工方法において、敷設された床パネルの縦横方向の水平度を同時に測定しながら床面レベルの調整を行うことができる。従って、床面レベルの調整を簡単に、しかも精度良く効率的に行うことができる。また、折り畳み自在とすることにより、未使用時に嵩張らず、携帯性の面からも有利である。特に長い棒状傾斜指示部材を連結させる場合や、連結させる傾斜指示部材の数が多いほど折り畳み可能とすることが望ましい。なお、連結機構としては、従来公知の種々の方式を採用できる。
【００１４】
また、各傾斜指示部材の上部に設ける傾斜指示装置としては、傾斜を指示する機能を有するものであればよく、特に限定されるものではない。例えば、一般によく知られている気泡管型のものでもよく、あるいは振子及び傾斜度を指示する指針をそれぞれケーシングに揺動自在に取り付けると共に、上記ケーシングの傾斜によって生じる振子の相対的振れを上記指針に拡大して伝達する手段を設けた装置でもよいが、特に後者の装置は水平度を精度良く表示するため好ましい。このような傾斜指示装置は、それが指示する傾斜度が見易いように棒状部材の上部に取り付けられる。
【００１５】
【実施例】
以下、添付図面に示す実施例を説明しつつ本発明についてさらに具体的に説明する。
図１及び図２は本発明の水準計測装置の一実施例を示し、この水準計測装置は、長尺の水準器１０とレベル表示装置４０とから構成され、図１はその全体的な概略構成、図２はレベル表示装置４０を電気回路で表現した図を示している。
【００１６】
長尺の水準器１０は、それぞれ棒状部材１２ａ，１２ｂ，１２ｃの上面略中央部に傾斜指示装置３０ａ，３０ｂ，３０ｃがそれぞれ固定された３本の傾斜指示部材１１ａ，１１ｂ，１１ｃが、棒状部材１２ａ，１２ｂ，１２ｃの下面が同一平面を形成するように水平方向に揺動自在に連結されたものである。
各傾斜指示部材１１ａ，１１ｂ，１１ｃは、連結部１３ａ，１３ｂにおいてヒンジ機構によって揺動自在に連結されている。すなわち、中間の傾斜指示部材１１ｂの両端には、一側縁側に半円形部が突設された二又状の連結部材１４ａ，１４ｂが対称的に取り付けられ、一方、両側の各傾斜指示部材１１ａ，１１ｃの一端には、それぞれ上記二又状の連結部材１４ａ，１４ｂに組み込まれる突出部を有する連結部材１５ａ，１５ｂが取り付けられており、各連結部材１４ａと１５ａ、１４ｂと１５ｂはそれぞれ二又状連結部材１４ａ，１４ｂのねじ孔１６にねじ込まれるちようボルト１７を介して揺動自在に連結されており、各傾斜指示部材は取替え可能である。
【００１７】
両側の傾斜指示部材１１ａ，１１ｃの長さは、中間の傾斜指示部材１１ｂの長さの半分以下とされている。また、各連結部１３ａ，１３ｂにおいて、ちようボルト１７は、直線状に伸ばした各棒状部材１２ａ，１２ｂ，１２ｃの一側縁の線上に位置し、各連結部材１４ａと１５ａ、１４ｂと１５ｂの各端面は長手方向に対して対称的に斜状に当接するように形成されている。従って、両側の傾斜指示部材１１ａ，１１ｃは中間の傾斜指示部材１１ｂの一側面に向かってのみ折り曲げ、また折り畳むことができる。
なお、各傾斜指示部材１１ａ，１１ｂ，１１ｃの連結機構は、図示のものに限定されるものではなく、軸ピン等を介して連結するなど、水平方向に揺動自在に連結できる従来公知の種々の連結機構を採用することができ、また両側の傾斜指示部材１１ａ，１１ｃを中間の傾斜指示部材１１ｂの両側面に向かって互い違いとなるように折り曲げ、また折り畳めるように構成することもできる。
【００１８】
中間の傾斜指示部材１１ｂの所定位置には、複数の可動ボタン１８ａ，１８ｂ，１８ｃ（図示の例では３個）が所定の間隔で上下動自在に取り付けられている。各可動ボタン１８ａ，１８ｂ，１８ｃの取付けは、図２に示すように、傾斜指示部材１１ｂの棒状部材１２ｂの所定位置に形成された上下方向の貫通孔にフランジ付きスリーブ２０がそれぞれ嵌合され、その下端外周ねじ部にナット２１が螺合されて固定されており、この各スリーブ２０内に棒状の可動ボタン１８ａ，１８ｂ，１８ｃがそれぞれ摺動自在に挿入されている。従って、各可動ボタン１８ａ，１８ｂ，１８ｃは各スリーブ２０内を上下動可能であるが、その上端部近傍にストッパーとして機能する環状リング部１９が一体的に形成されているので、該環状リング部１９がスリーブ２０に当接する位置から下へは降下することはない。また、両側の傾斜指示部材１１ａ，１１ｃの両端部近傍にはそれぞれ一対の脚部材２２がねじ込み式に取り付けられている。この脚部材２２を調節することにより、傾斜指示部材１１ａ，１１ｂ，１１ｃの高さ位置関係を調整することができる。
【００１９】
レベル表示装置４０は、警報装置４１と、リミットスイッチ４５と、配置した時に直ちに電源をオン状態にする電源スイッチ４８と、電源５１とを備えている。
警報装置４１は、ブザー４２と、青色ランプ４３と、赤色ランプ４４とから構成されている。
リミットスイッチ４５は、可動ボタン（１８ａ，１８ｂ，１８ｃ）の上端と接触する可動板ばね４６とその上下に配設された接点４７Ａ、４７Ｂを有し、これら可動板ばね４６と接点４７Ａ、４７Ｂは、通常は可動板ばね４６が接点４７Ｂと接触しているように調整されており、可動ボタン１８ｃ（図２参照）が下降位置にあるときに可動板ばね４６が接点４７Ｂに接触し、可動ボタン１８ｃが上昇位置にあるときに可動板ばね４６が接点４７Ａに接触し、傾斜指示部材１１ｂの棒状部材１２ｂ下面と床面との間にある可動ボタン１８ｃ部分の長さが脚部材２２の高さと等しいときに、可動板ばね４６は２つの接点４７Ａ，４７Ｂの中間に位置してこれらと接触していない状態となるような高さ関係に調整されている。なお、可動板ばね４６、接点４７Ａ、４７Ｂはリミットスイッチ４５の本体に上下調節自在に取り付けられている。
電源スイッチ４８は、ばね接触板４９とその上部に配設された接点５０を有し、ばね接触板４９が可動ボタン１８ａにより持ち上げられたときに接点５０と接触してオン状態となるように調整されている。ばね接触板４９と接点５０は電源スイッチ４８の本体に上下調節自在に取り付けられている。
【００２０】
次に、前記水準計測装置の動作について説明する。
まず、図２に示す床パネルの敷設においては、接床基台１２０に回動自在に立設された支持ボルト１１９の上部が、根太材１１７の上下方向の貫通孔に嵌合された鍔付きの円筒状ナット１１８に螺合された根太ユニット１１６が用いられ、これらの根太ユニット１１６が部屋壁に沿って配設され、予め根太材１１７の上面が所定の高さで水平となるように調整される。このことは、上記のような根太ユニット１１６に代えて、図８に示すような束によって根太材を支持する構造の際根太１１３を用いる場合も同様である。
次にこのように予め所定の高さに水平となるように調整された根太ユニット１１６の上に床パネル１１４（１１４ａ，１１４ｂ，１１４ｃ，‥‥‥）の一辺を支持し、根太ユニット１１６に接しない床パネルの他の縁部は、所定のピッチで基礎床１１１上に配置したユニット支持脚１０１（１０１ａ，１０１ｂ，１０１ｃ，‥‥‥）に片持たせの状態で載せて取り付け、その後順次ユニット支持脚１０１を用いて床パネルの敷設を行う。
従って、以下の説明においては、敷設された床パネルのうち、根太ユニット１１６により支持されている床パネルの端縁部は所定の高さで水平に支持されているが、ユニット支持脚１０１により支持されている床パネルの端縁部は水平に支持されていないものとして説明する。
【００２１】
そこで、図３のＡ部の床面レベルの調整について説明すると、図２は図３のII−II線から見た縦断側面図を示している。
図１に示す水準計測装置をコ字状に折り曲げ、図３のＡに示すように、両側の傾斜指示部材１１ａ，１１ｃのそれぞれ両端部近傍に取り付けられた脚部材２２が床パネル１１４ａ上に載置されるように配置する。なお、ユニット支持脚１０１（１０１ａ，１０１ｂ，１０１ｃ，‥‥‥）は、その高さ（支持板１０８上面の高さ）が根太ユニット１１６の高さよりも若干低目になるように調整されたものを使用するものとし、従って、図２に示すように、ユニット支持脚１０１ｂ，１０１ｃ，１０１ｄにより支持されている床パネル１１４ａ，１１４ｂ，１１４ｃの端縁の高さは根太ユニット１１６により支持されている端縁の高さよりも若干低くなっている。
【００２２】
なお、通常、両側の傾斜指示部材１１ａ，１１ｃの両端部Ｓ1 ，Ｓ2 は基準となる位置（根太ユニット１１６の根太材１１７近傍又は既に水準出しが行われた床パネル）に置き、連結部１３ａ，１３ｂを次の水準出しを行うユニット支持脚の近辺に位置するように置き、それに一番近いユニット支持脚のレベルを上げ、傾斜指示装置３０ａ，３０ｃが水平を示すように調整する。但し、図示の例では傾斜指示部材１１ａは根太材１１７の上部に水平に配置されているのでレベル調整の必要はない。
次に、連結部１３ｂに最も近いユニット支持脚１０１ｄのレベルを上げ（図３参照）、傾斜指示装置３０ｃが水平を示すように調整する。この時、傾斜指示部材１１ａは上記のように水平に配置されているので、同時に傾斜指示装置３０ｂも水平を示すことになる。
次に、本発明の水準計測装置を使用してユニット支持脚１０１ｃ，１０１ｂ，１０１ａのレベル調整を行う。
【００２３】
まず、電源スイッチ４８をそのばね接触板４９が可動ボタン１８ａと接触するように、またリミットスイッチ４５をその可動板ばね４６が可動ボタン１８ｃと接触するように傾斜指示部材１１ｂ上に配置する。
このとき、傾斜指示部材１１ｂの根太ユニット１１６側連結部１３ａ近傍に取り付けられている可動ボタン１８ａは、その下に位置する床パネル面が所定の高さレベルにあるため若干持ち上げられており、それによってばね接触板４９が上方に持ち上げられて接点５０と接触し、電源５１（乾電池）がオン状態となる。なお、本実施例では傾斜指示部材に配置しただけでオン状態となる電源スイッチ４８を用いたが、スナップスイッチ等他のスイッチ手段に代えることもできる。
【００２４】
一方、根太ユニット１１６に載置されていない床パネル１１４ｃ上に位置する可動ボタン１８ｃは、この床パネル１１４ｃの床面が、図２に示すように、一端縁が根太ユニット１１６により支持されている床パネル１１４ｂの床面よりも低いため、図２に示すように環状リング部１９がスリーブ２０の上端に当接する点まで降下している。従って、この可動ボタン１８ｃ上に可動板ばね４６が位置するようにリミットスイッチ４５を傾斜指示部材１１ｂ上に配置した状態では、可動板ばね４６は接点４７Ｂと接触している。
そのため、電源５１からの電流は可動板ばね４６，接点４７Ｂを経て青色ランプ４３に流れ、青色ランプ４３が点灯する。
【００２５】
この状態で、ユニット支持脚１０１ｃ，１０１ｂの支持ボルト１０３を回転させて支持板１０８のレベルを上げる。床面レベルの上昇に伴って可動ボタン１８ｃも上昇し、リミットスイッチ４５の可動板ばね４６を押し上げる。所定の床面レベルとなった状態では可動板ばね４６が接点４７Ａ，４７Ｂと接触してない状態になり、電源が切れて青色ランプ４３が消灯するが、上げ過ぎると可動板ばね４６が接点４７Ａと接触する。その結果、電流が可動板ばね４６、接点４７Ａを経て赤色ランプ４４及びブザー４２を流れ、赤色ランプ４４が点灯すると同時にブザー４２が警報音を発するので上げ過ぎたことがわかる。
従って、青色ランプ４３と赤色ランプ４４が共に消灯している状態で床面レベルが水平状態に調整されたことになる。このとき、接点ギャップ（各接点４７Ａ，４７Ｂと可動板ばね４６との間の合計間隔）を例えば０．２ｍｍに設定すれば、±０．１ｍｍの精度でレベル調整を行うことができる。この接点ギャップは調整可能である。
【００２６】
その後、前記と同じような操作により、リミットスイッチ４５を可動ボタン１８ｂの位置に配置し、ユニット支持脚１０１ａを調整して床パネル１１４ｂの最終レベル調整を行う。また、他の床パネルのレベル調整も同様な操作で行う。このようにして全体の床面レベルの調整を行った後、従来と同様な床仕上施工を行う。
なお、ユニット支持脚の高さが根太ユニットの高さよりも若干高目になるように調整されたものを使用した場合には、警報装置４１の作動は、前記した場合と全く逆となる。
【００２７】
また、図示の例では、３個の可動ボタン１８ａ，１８ｂ，１８ｃが傾斜指示部材１１ｂに上下動自在に取り付けられ、両側の可動ボタン１８ａ，１８ｃのいずれも電源スイッチ４８用に共用し得るように構成されているが、その数は傾斜指示部材１１ｂの長さ等によって適宜選定でき、また揺動自在に連結された他の傾斜指示部材１１ａ，１１ｃに設けることも可能である。
また、前記水準計測装置は、両側の傾斜指示部材１１ａ，１１ｃが予めレベル調整された床面に載置されればよく、従って図３のＢ及びＣで示すような配置形体でのレベル調整も可能である。さらに、図３のＤで示すように、可動ボタン１８ｄ，１８ｅが装着された傾斜指示部材１１ｄの一端部に他の傾斜指示部材１１ｅを揺動自在に連結し、Ｌ字状に折曲して用いることもできる。但し、この場合には両方の傾斜指示部材の端部及び連結部に脚部材を取り付ける必要がある。
【００２８】
図４及び図５は、本発明の傾斜指示部材に装着する傾斜指示装置の好適な２つの例、すなわち、振子及び傾斜度を指示する指針をそれぞれケーシングに揺動自在に取り付けると共に、上記ケーシングによって生じる振子の相対的振れを上記指針に拡大して伝達する手段を設けた勾配計を示している。
図４に示す勾配計３０は、ケーシング３１に振子３２及び指針３５をそれぞれ揺動自在に取り付けると共に、振子３２の支持軸３３に固定された大歯車３４が、傾斜度を指示する指針３５の支持軸に取り付けられたピニオン３６と噛み合うように構成されている。従って、水平度を測定しようとする面に置かれた勾配計３０のケーシング３１が傾いている場合、振子３２は鉛直に吊り下げられた状態に戻るように振れるので、その振れ（相対的揺動）が大歯車３４及びピニオン３６を介して指針３５に拡大して伝達され、わずかな勾配でも指針３５により拡大して表示されるため、傾斜度を精度良く測定できる。
【００２９】
一方、図５に示す勾配計３０′の場合、振子３２ａは軸３３ａを介して、また指針３５ａは軸３６ａを介してそれぞれケーシング３１に揺動自在に取り付けられているが、振子３２ａの下部所定位置に突設されたピン３８が指針３５ａの基端部に形成された孔３７に遊嵌されている。この勾配計３０′の場合、指針３５ａの回転軸心となる軸３６ａと基端部の孔３７との間の長さが振子３２ａの回転軸心となる軸３３ａとピン３８との間の長さよりも短い場合に、ケーシング３１の傾斜によって生じる振子３２ａの相対的振れは指針３５ａによって拡大して表示される。
このような勾配計３０，３０′は（図５に示すように）わずかな傾斜でも指針３５，３５ａにより拡大して表示され、見易いため、特に二重床の施工のように、床面の傾斜度を見ながら床面レベルの調整作業を行なう場合に用いる水準器の傾斜指示装置として有利に用いることができる。
【００３０】
以上、本発明の好適な実施例について説明したが、本発明は前記実施例に限定されるものではなく、種々の設計変更が可能である。例えば、警報装置はランプによる発色のみとしたり、あるいはランプとブザーを組み合わせて採用する場合でも、青色ランプ点灯の際のブザー音と赤色ランプ点灯の際のブザー音の音色を変えるようにすることもできる。また、各連結部材１５ａ，１４ａ，１４ｂ，１５ｂは各棒状部材１２ａ，１２ｂ，１２ｃの端部にネジ止め（螺合）、接着、嵌合等によって固定できるが、各棒状部材１２ａ，１２ｂ，１２ｃと各連結部材１５ａ，１４ａ，１４ｂ，１５ｂをプラスチック、金属等から一体成形することもできる。あるいは、各連結部材を各棒状部材端部に入れ子式に取り付け、伸縮自在に構成することもできる。さらに、連結部にロック機構を設けて各傾斜指示部材を所定の角度で固定できるようにすることもできる。なお、棒状部材１２ａ，１２ｂ，１２ｃの材料としては、剛性のある金属、プラスチック、木材等の種々の材料が使用可能であり、また軽量化のため中空部材を用いることもできるが、各連結部材１４ａ，１４ｂ，１５ａ，１５ｂの材料としては、両側の傾斜指示部材１１ａ，１１ｃの揺動を繰り返しても摩耗せず、ガタが生じない材料から構成されることが好ましい。
また、本発明の水準計測装置は、前記したような集合住宅のフロアーやＯＡフロアー等の二重床の床面レベル調整だけでなく、各種面のレベル調整に用いることができ、特にＬ字型の水準計測装置は機械等の据付の際にも便利である。
【００３１】
【発明の効果】
以上説明したように、本発明の水準計測装置は、被調整面のレベル調整の状況を警報装置によって聴覚及び／又は視覚によって容易に確認しながら、作業性良く高精度でレベル調整を行うことができる。また、複数の傾斜指示部材を揺動自在に連結することにより、二方向以上の多方向の水平度を同時に安定して測定でき、特に二重床の床面レベル調整に好適に用いることができ、二重床の施工に際して、床面レベルの調整を簡単に作業性良く、しかも精度良く行うことができ、施工工期の短縮化及びコスト低減を図ることができる。また、折り畳めるようにすることで、嵩張らず携帯性にも優れるという利点もある。
【図面の簡単な説明】
【図１】３本の傾斜指示部材を連結させてなる本発明に係る水準計測装置の一実施例を示す斜視図である。
【図２】図１に示す水準計測装置を二重床の施工の際の床面レベル調整に用いる場合の使用例を示す部分縦断側面図である。
【図３】本発明の水準計測装置を二重床の施工の際の床面レベル調整に用いる場合の種々の使用例を示す部分平面図である。
【図４】ダイヤルゲージ式の勾配計を示す概略正面図である。
【図５】勾配計の他の例を傾斜した状態で示す概略正面図である。
【図６】従来の気泡管型の水準器を示す斜視図である。
【図７】従来のユニット支持脚の一例を示す分解斜視図である。
【図８】従来の二重床の施工例を示す破断斜視図である。
【図９】従来の二重床の施工例を示す部分平面図である。
【符号の説明】
１０，６０  水準器
１１ａ，１１ｂ，１１ｃ，１１ｄ，１１ｅ  傾斜指示部材
１２ａ，１２ｂ，１２ｃ  棒状部材
１３ａ，１３ｂ  連結部
１４ａ，１４ｂ，１５ａ，１５ｂ  連結部材
１８ａ，１８ｂ，１８ｃ，１８ｄ，１８ｅ  可動ボタン
３０，３０ａ，３０ｂ，３０ｃ，３０′  傾斜指示装置（勾配計）
４０  レベル表示装置
４１  警報装置
４２  ブザー
４３  青色ランプ
４４  赤色ランプ
４５  リミットスイッチ
４６  可動板ばね
４７Ａ，４７Ｂ，５０  接点
４８  電源スイッチ
４９  ばね接触板
５１  電源
１０１，１０１ａ，１０１ｂ，１０１ｃ，１０１ｄ  ユニット支持脚
１０３，１１９  支持ボルト
１０８  支持板
１１１  基礎床（コンクリートスラブ）
１１２  部屋壁（又は間仕切り）
１１３  際根太
１１４，１１４ａ，１１４ｂ，１１４ｃ  床パネル
１１６  根太ユニット
１１７  根太材
【図１】
0003718566.tif 000002
【図２】
0003718566.tif 000003
【図３】
0003718566.tif 000004
【図４】
0003718566.tif 000005
【図５】
0003718566.tif 000006
【図６】
0003718566.tif 000007
【図７】
0003718566.tif 000008
【図８】
0003718566.tif 000009
【図９】
0003718566.tif 000010